(57)【要約】【課題】移動端末の異種ネットワークへの媒体独立ハンドオーバーを支援するための方法を提供する。【解決手段】同種ネットワーク及び異種ネットワークのうちの少なくとも一つからの、及び、同種ネットワーク及び異種ネットワークのうちの少なくとも一つへのメッセージを管理するための統合インターフェースを、前記移動端末の上位階層に設定する。なお、前記ハンドオーバーを行うための前記異種ネットワークの接近可能なリンクの存在を決定するために、前記統合インターフェースを通して前記移動端末の現在ネットワークと異なる異種ネットワークに対するスキャンを要請する。【選択図】図７【特許請求の範囲】
【請求項１】
移動端末の異種ネットワークへの媒体独立ハンドオーバーを支援する方法において、
前記移動端末の上位階層に同種ネットワーク及び異種ネットワークのうちの少なくとも一つからの、及び、同種ネットワーク及び異種ネットワークのうちの少なくとも一つへのメッセージを管理するための統合インターフェースを設定する段階と、
前記ハンドオーバーを行うための前記異種ネットワークの接近可能なリンクの存在を決定するために、前記統合インターフェースを通して前記移動端末の現在ネットワークと異なる異種ネットワークに対するスキャニングを要請する段階と、
を含む、媒体独立ハンドオーバー支援方法。
【請求項２】
前記スキャニングを要請する段階は、前記上位階層で行われる、請求項１に記載の媒体独立ハンドオーバー支援方法。
【請求項３】
前記異種ネットワークは、周期的にスキャニングされる、請求項１に記載の媒体独立ハンドオーバー支援方法。
【請求項４】
前記統合インターフェースは、媒体独立ハンドオーバー機能（ＭＩＨＦ）エンティティである、請求項１に記載の媒体独立ハンドオーバー支援方法。
【請求項５】
前記上位階層は、前記移動端末と結合した同種及び異種ネットワークリンクを管理するための上位管理エンティティを含む、請求項１に記載の媒体独立ハンドオーバー支援方法。
【請求項６】
前記異種ネットワークの前記接近可能なリンクを発見する段階と、
前記統合インターフェースを通して前記接近可能なリンクの前記上位階層に関する情報を通知する段階と、
前記接近可能なリンクに連結を設定する段階と、
をさらに含む、請求項１に記載の媒体独立ハンドオーバー支援方法。
【請求項７】
前記統合インターフェースを通して接近可能なリンクの前記上位階層に関する情報を通知する段階は、前記異種ネットワークの前記接近可能なリンクの信号品質を、前記上位階層に通知する段階を含む、請求項６に記載の媒体独立ハンドオーバー支援方法。
【請求項８】
前記信号品質は、信号対干渉及び雑音比（ＳＩＮＲ）及び受信信号強度指示（ＲＳＳＩ）のうちの少なくとも一つを含む、請求項７に記載の媒体独立ハンドオーバー支援方法。
【請求項９】
前記スキャンを要請する段階は、
前記要請の生成された根源を識別する段階と、
前記要請の転送されるあて先を識別する段階と、
前記移動端末の識別を提供する段階のうちの少なくとも一つを含む、請求項１に記載の媒体独立ハンドオーバー支援方法。
【請求項１０】
移動端末の異種ネットワークへの媒体独立ハンドオーバーを支援する方法において、
前記移動端末の上位階層に同種ネットワーク及び異種ネットワークのうちの少なくとも一つからの、及び、同種ネットワーク及び異種ネットワークのうちの少なくとも一つへのメッセージを管理するための統合インターフェースを設定する段階と、
前記ハンドオーバーを行うための前記移動端末の現在リンクと異なる現在ネットワークのリンクをスキャニングする段階と、
前記現在ネットワークの前記現在リンクと異なる前記リンクの利用可能な状態を報告する段階と、
前記移動端末の上位階層で前記統合インターフェースを通して前記報告を受信する段階と、
前記現在リンクと異なる前記現在ネットワークの前記リンクが利用可能でない場合に、前記ハンドオーバーを行うための前記異種ネットワークの接近可能なリンクの存在を決定するために、前記統合インターフェースを通して前記現在ネットワークと異なる異種ネットワークのスキャニングを要請する段階と、
を含む、媒体独立ハンドオーバー支援方法。
【請求項１１】
前記スキャニングを要請する段階は、前記上位階層で行われる、請求項１０に記載の媒体独立ハンドオーバー支援方法。
【請求項１２】
前記異種ネットワークは、周期的にスキャニングされる、請求項１０に記載の媒体独立ハンドオーバー支援方法。
【請求項１３】
前記統合インターフェースは、媒体独立ハンドオーバー機能（ＭＩＨＦ）エンティティである、請求項１０に記載の媒体独立ハンドオーバー支援方法。
【請求項１４】
前記上位階層は、前記移動端末と結合した同種ネットワーク及び異種ネットワークリンクを管理するための上位管理エンティティを含む、請求項１０に記載の媒体独立ハンドオーバー支援方法。
【請求項１５】
前記異種ネットワークの前記接近可能なリンクを発見する段階と、
前記統合インターフェースを通して前記接近可能なリンクの前記上位階層に関する情報を通知する段階と、
前記接近可能なリンクに連結を設定する段階と、
をさらに含む、請求項１０に記載の媒体独立ハンドオーバー支援方法。
【請求項１６】
前記統合インターフェースを通して接近可能なリンクの前記上位階層に関する情報を通知する段階は、前記異種ネットワークの前記接近可能なリンクの信号品質を前記上位階層に通知する段階を含む、請求項１５に記載の媒体独立ハンドオーバー支援方法。
【請求項１７】
前記信号品質は、信号対干渉及び雑音比（ＳＩＮＲ）及び受信信号強度指示（ＲＳＳＩ）のうちの少なくとも一つを含む、請求項１６に記載の媒体独立ハンドオーバー支援方法。
【請求項１８】
前記スキャニングを要請する段階は、
前記要請の生成された根源を識別する段階と、
前記要請の転送されるあて先を識別する段階と、
前記移動端末の識別を提供する段階のうちの少なくとも一つを含む、請求項１０に記載の媒体独立ハンドオーバー支援方法。
【請求項１９】
移動端末の異種ネットワークへの媒体独立ハンドオーバーを支援する方法において、
前記移動端末の上位階層に同種ネットワーク及び異種ネットワークのうちの少なくとも一つからの、及び、同種ネットワーク及び異種ネットワークのうちの少なくとも一つへのメッセージを管理するための統合インターフェースを設定する段階と、
前記ハンドオーバーを行うために、前記移動端末の現在ネットワークと異なる異種ネットワークの接近可能なリンクに対する検索を要請する段階と、
前記移動端末の前記上位階層で前記統合インターフェースを通して前記要請を受信する段階と、
前記ハンドオーバーを行うために、前記接近可能なリンクの存在を決定するために前記統合インターフェースを通して前記異種ネットワークに対するスキャニングを要請する段階と、
を含む、媒体独立ハンドオーバー支援方法。
【請求項２０】
前記スキャニングを要請する段階は、前記上位階層で行われる、請求項１９に記載の媒体独立ハンドオーバー支援方法。
【請求項２１】
前記異種ネットワークは、周期的にスキャニングされる、請求項１９に記載の媒体独立ハンドオーバー支援方法。
【請求項２２】
前記統合インターフェースは、媒体独立ハンドオーバー機能（ＭＩＨＦ）エンティティである、請求項１９に記載の媒体独立ハンドオーバー支援方法。
【請求項２３】
前記上位階層は、前記移動端末と結合した同種ネットワーク及び異種ネットワークリンクを管理するための上位管理エンティティを含む、請求項１９に記載の媒体独立ハンドオーバー支援方法。
【請求項２４】
前記異種ネットワークの前記接近可能なリンクを発見する段階と、
前記統合インターフェースを通して前記接近可能なリンクの前記上位階層に関する情報を通知する段階と、
前記接近可能なリンクに連結を設定する段階と、
をさらに含む、請求項１９に記載の媒体独立ハンドオーバー支援方法。
【請求項２５】
前記統合インターフェースを通して接近可能なリンクの前記上位階層に関する情報を通知する段階は、前記異種ネットワークの前記接近可能なリンクの信号品質を、前記上位階層に通知する段階を含む、請求項２４に記載の媒体独立ハンドオーバー支援方法。
【請求項２６】
前記信号品質は、信号対干渉及び雑音比（ＳＩＮＲ）及び受信信号強度指示（ＲＳＳＩ）のうちの少なくとも一つを含む、請求項２５に記載の媒体独立ハンドオーバー支援方法。
【請求項２７】
前記現在ネットワークと異なる前記異種ネットワークの接近可能なリンクに対する検索を要請する段階の前に、接近可能なリンクのための前記現在ネットワークをスキャニングする段階をさらに含む、請求項１９に記載の媒体独立ハンドオーバー支援方法。
【請求項２８】
前記現在ネットワークと異なる前記異種ネットワークの接近可能なリンクに対する前記検索を要請する段階は、前記同種ネットワークで接近可能なリンクの存在が発見されない時に発生する、請求項２７に記載の媒体独立ハンドオーバー支援方法。
【請求項２９】
前記検索を要請する段階は、
前記要請の生成された根源を識別する段階と、
前記要請の転送されるあて先を識別する段階と、
前記移動端末の識別を提供する段階のうちの少なくとも一つを含む、請求項１９に記載の媒体独立ハンドオーバー支援方法。
【請求項３０】
前記スキャニングを要請する段階は、
前記要請の生成された根源を識別する段階と、
前記要請の転送されるあて先を識別する段階と、
前記移動端末の識別を提供する段階のうちの少なくとも一つを含む、請求項１９に記載の媒体独立ハンドオーバー支援方法。
【請求項３１】
異種ネットワークへの媒体独立ハンドオーバーを支援する移動端末において、
前記移動端末の上位階層で同種ネットワーク及び異種ネットワークのうちの少なくとも一つからの、及び、同種ネットワーク及び異種ネットワークのうちの少なくとも一つへのメッセージを管理するための統合インターフェースと、
前記ハンドオーバーを行うための前記異種ネットワークの接近可能なリンクの存在を決定するために、前記統合インターフェースを通して前記移動端末の現在ネットワークと異なる異種ネットワークに対するスキャニングを要請する手段と、
を備える、移動端末。
【請求項３２】
異種ネットワークへの媒体独立ハンドオーバーを支援する移動端末において、
前記移動端末の上位階層で同種ネットワーク及び異種ネットワークのうちの少なくとも一つからの、及び、同種ネットワーク及び異種ネットワークのうちの少なくとも一つへのメッセージを管理するための統合インターフェースと、
前記ハンドオーバーを行うための前記移動端末の現在リンクと異なる現在ネットワークのリンクをスキャニングする手段と、
前記現在ネットワークの前記現在リンクと異なる前記リンクの利用可能な状態を報告する手段と、
前記移動端末の上位階層で前記統合インターフェースを通して前記報告を受信する手段と、
前記現在リンクと異なる前記現在ネットワークの前記リンクが利用可能でない場合に、前記統合インターフェースを通して、前記ハンドオーバーを行うための前記異種ネットワークの接近可能なリンクの存在を決定するために前記現在ネットワークと異なる異種ネットワークのスキャニングを要請する手段と、
を備える、移動端末。
【請求項３３】
異種ネットワークへの媒体独立ハンドオーバーを支援する移動端末において、
前記移動端末の上位階層で同種ネットワーク及び異種ネットワークのうちの少なくとも一つからの、及び、同種ネットワーク及び異種ネットワークのうちの少なくとも一つへのメッセージを管理するための統合インターフェースと、
前記ハンドオーバーを行うために、前記移動端末の現在ネットワークと異なる異種ネックワークの接近可能なリンクに対する検索を要請する手段と、
前記移動端末の前記上位階層で前記統合インターフェースを通して前記要請を受信する手段と、
前記ハンドオーバーを行うために、前記接近可能なリンクの存在を決定するために前記統合インターフェースを通して前記異種ネットワークに対するスキャニングを要請する手段と、
を備える、移動端末。
【発明の詳細な説明】
【技術分野】
【０００１】
本発明は、マルチモード移動端末に係り、より詳細には、広帯域無線接続ネットワークシステム、無線ローカル接続ネットワーク（ＬＡＮ）、有線ＬＡＮ、及びセルラーシステムインターフェースのようなマルチモード移動端末が、異種ネットワーク間で效率的にハンドオーバーを行えるように支援する方法に関する。
【背景技術】
【０００２】
近年、標準化機構ＩＥＥＥ  ８０２．２１は、異種（ｈｅｔｅｒｏｇｅｎｅｏｕｓ）ネットワーク間における媒体独立ハンドオーバー（ＭＩＨ：Ｍｅｄｉａ  Ｉｎｄｅｐｅｎｄｅｎｔ  Ｈａｎｄｏｖｅｒ）に関する国際標準化を進行してきている。このＭＩＨは、異種ネットワーク間にシームレスハンドオーバー（ｓｅａｍｌｅｓｓ  ｈａｎｄｏｖｅｒ）とサービス連続性（ｓｅｒｖｉｃｅ  ｃｏｎｔｉｎｕｉｔｙ）を提供し、移動端末装置のユーザ便宜性をより向上させるためのもので、ＩＥＥＥ  ８０２．２１は、基本的な要求事項として上記のＭＩＨ機能（ＭＩＨ  ｆｕｎｃｔｉｏｎ）の他にも、イベントトリガー（Ｅｖｅｎｔ  Ｔｒｉｇｇｅｒ）及び情報サービス（ＩＳ：Ｉｎｆｏｒｍａｔｉｏｎ  Ｓｅｒｖｉｃｅ）などの様々な機能を定義している。
【０００３】
移動端末（ＭＳＳ：Ｍｏｂｉｌｅ  Ｓｕｂｓｃｒｉｂｅｒ  Ｓｔａｔｉｏｎ）は、２つ以上のインターフェースタイプ（ｉｎｔｅｒｆａｃｅ  ｔｙｐｅ）を支援するマルチモードノード（ｍｕｌｔｉ−ｍｏｄｅ  ｎｏｄｅ）である。このインターフェースタイプは、ＩＥＥＥ  ８０２．３基盤のイーサネット（登録商標）（Ｅｔｈｅｒｎｅｔ（登録商標））のような有線（Ｗｉｒｅ−ｌｉｎｅ）形態のインターフェースタイプ、ＩＥＥＥ  ８０２．１１、ＩＥＥＥ  ８０２．１５、ＩＥＥＥ  ８０２．１６などのようなＩＥＥＥ８０２．ＸＸ基盤の無線インターフェースタイプまたは３ＧＰＰ、３ＧＰＰ２のようなセルラー（Ｃｅｌｌｕｌａｒ）標準化機構により定義されたインターフェースタイプのいずれかでありうる。ただし、これに限定されることはない。
【０００４】
図１は、一般の媒体独立ハンドオーバー機能（ＭＩＨＦ：ＭＩＨ  Ｆｕｎｃｔｉｏｎ）参照モデルを示す図である。
【０００５】
図１は、異なる階層間及び異なる遠隔のＭＩＨＦと相互作用するためのＭＩＨＦ構造を示す。このＭＩＨＦが同期及び非同期サービスを下位階層及び上位階層に提供するために、ＭＩＨ＿ＭＧＨＴ＿ＳＡＰ、ＭＩＨ＿ＳＭＥ＿ＳＡＰ及びＭＩＨ＿ＳＡＰのようなサービスアクセスポイント（ＳＡＰｓ：Ｓｅｒｖｉｃｅ  Ａｃｃｅｓｓ  Ｐｏｉｎｔｓ）をプリミティブ（ｐｒｉｍｉｔｉｖｅｓ）と一緒に定義する。ＭＩＨ＿ＭＧＭＴ＿ＳＡＰは、ＭＩＨＦ及び異なるネットワークインターフェースの管理平面（管理エンティティ）間のインターフェースを定義し、同等のＭＩＨＦエンティティ間だけでなく、ＭＩＨＦとローカルリンク階層エンティティ間にＭＩＨプロトコルメッセージを転送するために用いられる。ＭＩＨ＿ＳＡＰは、ＭＩＨＦと装置管理者（ｄｅｖｉｃｅ  ｍａｎａｇｅｒ）、ハンドオーバー政策管理機能（ｈａｎｄｏｖｅｒ  ｐｏｌｉｃｙ  ｃｏｎｔｒｏｌ  ｆｕｎｃｔｉｏｎ）、転送、第３階層（Ｌ３）移動性管理プロトコルなどのような上位階層エンティティとの間のインターフェースを定義し、ＭＩＨ構成及び動作のために用いられる。ＭＩＨ＿ＳＭＥ＿ＳＡＰは、ＭＩＨＦと基地局管理エンティティまたはネットワーク管理システムとの間のインターフェースを定義し、ＭＩＧ構成及び動作のために用いられる。
【０００６】
図２は、マルチモード移動端末のプロトコル階層を示す構造図である。
【０００７】
図２を参照すると、マルチモード移動端末は、各モード別物理階層（ＰＨＹ：ｐｈｙｓｉｃａｌ  ｌａｙｅｒ）と媒体アクセス制御（ＭＡＣ：ｍｅｄｉｕｍ  ａｃｃｅｓｓ  ｃｏｎｔｒｏｌ  ｌａｙｅｒ）階層を有し、ＩＰ階層の下にＭＩＨ階層が位置する。
【０００８】
ＭＩＨは、ＩＥＥＥ  ８０２系列インターフェース間、または、ＩＥＥＥ  ８０２系列インターフェースと上記の３ＧＰＰ、３ＧＰＰ２のようなセルラー標準化機構により定義されたインターフェースタイプのような非８０２系列インターフェースとの間で定義される。また、モバイルＩＰ（Ｍｏｂｉｌｅ  ＩＰ）とＳＩＰ（Ｓｅｓｓｉｏｎ  Ｉｎｉｔｉａｔｉｏｎ  Ｐｒｏｔｏｃｏｌ）のような上位階層の移動性支援プロトコルが、ハンドオーバーとシームレスサービスのために支援されなければならない。
【０００９】
ＭＩＨ機能は、ＩＰ階層の下に位置し、トリガーイベント（ｔｒｉｇｇｅｒ  ｅｖｅｎｔ）と他のネットワークに関する情報などのような第２階層（Ｌａｙｅｒ  ２）からの入力値を用いてハンドオーバー処理過程を容易にする。また、ＭＩＨ機能は、ハンドオーバー過程に影響を与えうるユーザ政策（ｐｏｌｉｃｙ）と構成（ｃｏｎｆｉｇｕｒａｔｉｏｎ）基盤の入力値を含むことができ、モバイルＩＰ（ｍｏｂｉｌｅ  ＩＰ）またはＳＩＰのような第３階層（Ｌａｙｅｒ  ３）エンティティ（ｅｎｔｉｔｙ）とＭＩＨ機能間に一般的なインターフェースが定義される。このようなインターフェースは、第１階層（物理階層）と第２階層（媒体アクセス制御階層）及び移動性管理に関する情報を提供し、ＭＩＨ階層は、イベントと情報サービス機能を用いて下位階層とネットワークに関する情報を獲得する。
【００１０】
上位階層には、移動端末内の様々なリンクの状態をモニタし制御するための上位管理エンティティが位置し、ハンドオーバー制御機能（Ｈａｎｄｏｖｅｒ  Ｃｏｎｔｒｏｌ  Ｆｕｎｃｔｉｏｎ）及び装置管理者（Ｄｅｖｉｃｅ  Ｍａｎａｇｅｒ）機能を果たす。ここで、ハンドオーバー制御機能と装置管理者は、独立してそれぞれ位置しても良く、両機能が上位管理エンティティとして共に含まれても良い。
【００１１】
図３は、ＭＩＨ機能、ネットワーク機能エンティティ及び転送プロトコルを含む移動端末機能エンティティを示す。図３で、点線はプリミティブ、イベントトリガーなどを表す。
【００１２】
速いハンドオーバーのために、ネットワーク階層は、できるだけ速く連結を再設定できるようにリンク階層（ｌｉｎｋ  ｌａｙｅｒ）からの情報を利用する必要がある。リンク階層イベントは、ユーザの移動を予測する役割を果たし、移動端末とネットワークが事前にハンドオーバーを準備するのに役立つ。
【００１３】
ハンドオーバーのためのトリガーは、物理階層（ＰＨＹ）、媒体アクセス制御階層（ＭＡＣ）から始まることができ、このようなトリガーの根源はローカルスタック（Ｌｏｃａｌ  Ｓｔａｃｋ）または遠隔スタック（Ｒｅｍｏｔｅ  Ｓｔａｃｋ）になることができる。図４は、トリガーモデルモデル示すブロック図である。
【００１４】
イベントトリガーは、現在信号情報、他のネットワークの状態変化情報、未来の予測される変化情報を提供する。また、イベントトリガーは、物理階層と媒体アクセス制御階層上の変化情報あるいは特定ネットワークの属性変化情報を含む。
【００１５】
イベントタイプは、物理階層イベント（ＰＨＹ  ｌａｙｅｒ  ｅｖｅｎｔ）、媒体アクセス制御階層イベント（ＭＡＣ  ｌａｙｅｒ  ｅｖｅｎｔ）、管理イベント（Ｍａｎａｇｅｍｅｎｔ  ｅｖｅｎｔ）、第３階層イベント（Ｌ３  ｅｖｅｎｔ）及び応用イベント（Ａｐｐｌｉｃａｔｉｏｎ  ｅｖｅｎｔ）などに分類されることができる。基本的なトリガーイベントについて説明すると、下記の通りである。
【００１６】
‘Ｌｉｎｋ＿Ｕｐ’は、特定リンクインターフェース上で第２階層連結が設定され、上位階層で第３階層パケットを転送できる時に発生する。この場合、リンクを構成する全ての第２階層構成は設定完了したと判断する。この時、‘Ｌｉｎｋ＿Ｕｐ’イベントの根源は、‘Ｌｏｃａｌ  ＭＡＣ’と‘Ｒｅｍｏｔｅ  ＭＡＣ'である。下記の表１に、‘Ｌｉｎｋ＿Ｕｐ’のパラメータを示す。
【００１７】
【表１】
2008530940.tif 000002
‘Ｌｉｎｋ＿Ｄｏｗｎ’イベントは、特定インターフェース上でＬ２連結が解除され、Ｌ３パケットがそれ以上あて先に転送不可能な場合に発生する。‘Ｌｉｎｋ＿Ｄｏｗｎ’イベントの根源は、ローカルＭＡＣである。下記の表２に、‘Ｌｉｎｋ＿Ｄｏｗｎ’イベントのパラメータを示す。
【００１８】
【表２】
2008530940.tif 000003
‘Ｌｉｎｋ＿Ｇｏｉｎｇ＿Ｄｏｗｎ’は、２階層連結が特定時間内に‘ｌｉｎｋ  ｄｏｗｎ’すると予測される時に発生し、ハンドオーバー手順を初期化するためのシグナルにもなりうる。イベント根源は、‘Ｌｏｃａｌ  ＭＡＣ’と‘Ｒｅｍｏｔｅ  ＭＡＣ’である。表３に、‘Ｌｉｎｋ＿Ｇｏｉｎｇ＿Ｄｏｗｎ'のパラメータを示す。
【００１９】
【表３】
2008530940.tif 000004
‘Ｌｉｎｋ＿Ｇｏｉｎｇ＿Ｕｐ’は、第２階層連結が特定時間内に‘Ｌｉｎｋ＿Ｕｐ’すると予測される時に発生し、ネットワークの初期化に時間が長くかかる場合に用いられる。‘Ｌｉｎｋ＿Ｇｏｉｎｇ＿Ｕｐ’イベントの根源は、‘Ｌｏｃａｌ  ＭＡＣ’と‘Ｒｅｍｏｔｅ  ＭＡＣ’である。表４に、‘Ｌｉｎｋ＿Ｇｏｉｎｇ＿Ｕｐ’のパラメータを示す。
【００２０】
【表４】
2008530940.tif 000005
‘Ｌｉｎｋ＿Ｅｖｅｎｔ＿Ｒｏｌｌｂａｃｋ’は、‘Ｌｉｎｋ＿Ｇｏｉｎｇ＿Ｕｐ’、‘Ｌｉｎｋ＿Ｇｏｉｎｇ＿Ｄｏｗｎ’と結合して用いられる。‘Ｌｉｎｋ＿Ｇｏｉｎｇ＿Ｕｐ’または‘Ｌｉｎｋ＿Ｇｏｉｎｇ＿Ｄｏｗｎ’が転送されたが、特定時間内にそれ以上‘Ｌｉｎｋ＿ＵＰ’または‘Ｌｉｎｋ＿Ｄｏｗｎ’が発生しないと予測される時に発生されるトリガーである。‘Ｌｉｎｋ＿Ｅｖｅｎｔ＿Ｒｏｌｌｂａｃｋ’イベントの根源は、‘Ｌｏｃａｌ  ＭＡＣ’及び‘Ｒｅｍｏｔｅ  ＭＡＣ’である。表５に、‘Ｌｉｎｋ＿Ｅｖｅｎｔ＿Ｒｏｌｌｂａｃｋ’のパラメータを示す。
【００２１】
【表５】
2008530940.tif 000006
‘Ｌｉｎｋ＿Ａｖａｉｌａｂｌｅ’は、新しい特定リンクが利用可能であるということを表し、現在移動端末の接続している基地局や接続点（ＰＯＡ：Ｐｏｉｎｔ  ｏｆ  Ａｔｔａｃｈｍｅｎｔ）に比べて新しい基地局（ＢＳ）や接続点（ＰＯＡ）がより良いリンク品質を提供できるという可能性を表す。‘Ｌｉｎｋ＿Ａｖａｉｌａｂｌｅ’イベント根源は、‘Ｌｏｃａｌ  ＭＡＣ’と’Ｒｅｍｏｔｅ  ＭＡＣ’である。表６に、‘Ｌｉｎｋ＿Ａｖａｉｌａｂｌｅ’のパラメータを示す。
【００２２】
【表６】
2008530940.tif 000007
‘Ｌｉｎｋ＿Ｐａｒａｍｅｔｅｒｓ＿Ｃｈａｎｇｅ’は、リンクパラメータ値の変化が特定限界水準を越えた時に発生するイベントである。これは、リンク速度、ＱｏＳ（Ｑｕａｌｉｔｙ  ｏｆ  Ｓｅｒｖｉｃｅ）、暗号化値などのようなリンク階層パラメータを含むことができる。‘Ｌｉｎｋ＿Ｐａｒａｍｅｔｅｒｓ＿Ｃｈａｎｇｅ’イベント根源は、‘Ｌｏｃａｌ  ＭＡＣ’及び‘Ｒｅｍｏｔｅ  ＭＡＣ’である。表７に、‘Ｌｉｎｋ＿Ｐａｒａｍｅｔｅｒｓ＿Ｃｈａｎｇｅ’のパラメータを示す。
【００２３】
【表７】
2008530940.tif 000008
図５は、移動端末の現在接続しているリンクの品質が低下し、新しいリンクを設定するまで発生されるトリガーの一例を示す図である。
【００２４】
情報サービス（Ｉｎｆｏｒｍａｔｉｏｎ  Ｓｅｒｖｉｃｅ）は、ネットワーク発見と選択をするのに必要なネットワークに関する詳細な情報を提供し、いずれのネットワークからも接近可能でなければならない。情報サービスは、リンクアクセスパラメータ（ｌｉｎｋ  ａｃｃｅｓｓ  ｐａｒａｍｅｔｅｒ）、保安メカニズム（ｓｅｃｕｒｉｔｙ  ｍｅｃｈａｎｉｓｍ）、ネイバーマップ（Ｎｅｉｇｈｂｏｒ  Ｍａｐ）、位置（Ｌｏｃａｔｉｏｎ）、サービス提供者及び他のアクセス情報（Ｐｒｏｖｉｄｅｒ  ａｎｄ  ｏｔｈｅｒ  Ａｃｃｅｓｓ  Ｉｎｆｏｒｍａｔｉｏｎ）、リンク費用（Ｃｏｓｔ  ｏｆ  ｌｉｎｋ）などのような情報要素を含まなければならない。
【００２５】
マルチモード移動端末の現在接続されているリンクインターフェースの媒体アクセス制御（ＭＡＣ）階層は、現在連結されているリンクの信号品質が低下する場合、ＭＩＨに‘Ｌｉｎｋ＿Ｇｏｉｎｇ＿Ｄｏｗｎ'トリガーを伝達した後、同種のネットワーク（ｈｏｍｏｇｅｎｅｏｕｓ  ｎｅｔｗｏｒｋ）で接続可能なリンクの有無を判断するためにスキャニング（Ｓｃａｎｎｉｎｇ）プロセスを実行する。スキャニングの結果、同種ネットワークから接続可能リンクが検索されないと、当該移動端末は、異種ネットワーク（ｈｅｔｅｒｏｇｅｎｅｏｕｓ  ｎｅｔｗｏｒｋ）から接続可能なリンクの存在有無を判断するためにスキャニングプロセスを実行しなければならないが、これと関する従来技術が未だ開示されておらず、マルチモード移動端末の異種ネットワーク間におけるハンドオーバーを效率的に支援し難いという問題点があった。
【発明の開示】
【発明が解決しようとする課題】
【００２６】
本発明は、異種ネットワークへの移動端末の媒体独立ハンドオーバーを支援する方法に関する。
【００２７】
本発明の追加的な長所、目的、及び特徴は、一部は以下の詳細な説明で展開され、一部は以下の詳細な説明に基づいて当該技術分野における通常の技術を持つ者に明らかになり、または、発明の実施から明確になる。本発明の目的及び長所は、添付の図面の他、作成された詳細な説明及び請求項によって詳細に指摘された構成から得られ、具体化することができる。
【課題を解決するための手段】
【００２８】
上記またはその他の利点を得るために、そして、本発明の目的に応じてここに具体化され、概略的に説明されたように、本発明は、移動端末の異種ネットワークへの媒体独立ハンドオーバーを支援する方法において、前記移動端末の上位階層に同種ネットワーク及び異種ネットワークのうちの少なくとも一つからの、及び、同種ネットワーク及び異種ネットワークのうちの少なくとも一つへのメッセージを管理するための統合インターフェースを設定する段階と、前記ハンドオーバーを行うための前記異種ネットワークの接近可能なリンクの存在を決定するために、前記統合インターフェースを通して前記移動端末の現在ネットワークと異なる異種ネットワークに対するスキャニングを要請する段階とを含む媒体独立ハンドオーバー支援方法とした。
【００２９】
好ましくは、前記スキャニングを要請する段階は、前記上位階層で行われることができる。好ましくは、前記異種ネットワークは、周期的にスキャニングされることができる。好ましくは、前記統合インターフェースは、媒体独立ハンドオーバー機能（ＭＩＨＦ）エンティティでありうる。好ましくは、前記上位階層は、前記移動端末と結合した同種及び異種ネットワークリンクを管理するための上位管理エンティティを含むことができる。
【００３０】
本発明の一側面において、上記方法は、前記異種ネットワークの前記接近可能なリンクを発見する段階と、前記統合インターフェースを通して前記接近可能なリンクの前記上位階層に関する情報を通知する段階と、前記接近可能なリンクに連結を設定する段階と、をさらに含むことができる。
【００３１】
好ましくは、前記統合インターフェースを通して接近可能なリンクの前記上位階層に関する情報を通知する段階は、前記異種ネットワークの前記接近可能なリンクの信号品質を、前記上位階層に通知する段階を含むことができる。好ましくは、前記信号品質は、信号対干渉及び雑音比（ＳＩＮＲ）及び受信信号強度指示（ＲＳＳＩ）のうちの少なくとも一つを含むことができる。
【００３２】
本発明の他の側面において、前記スキャンを要請する段階は、前記要請の生成された根源を識別する段階と、前記要請の転送されるあて先を識別する段階と、前記移動端末の識別を提供する段階のうちの少なくとも一つを含むことができる。
【００３３】
本発明の他の実施例によって、移動端末の異種ネットワークへの媒体独立ハンドオーバーを支援する方法は、前記移動端末の上位階層に同種ネットワーク及び異種ネットワークのうちの少なくとも一つからの、及び、同種ネットワーク及び異種ネットワークのうちの少なくとも一つへのメッセージを管理するための統合インターフェースを設定する段階と、前記ハンドオーバーを行うための前記移動端末の現在リンクと異なる現在ネットワークのリンクをスキャニングする段階と、前記現在ネットワークの前記現在リンクと異なる前記リンクの利用可能な状態を報告する段階と、前記移動端末の上位階層で前記統合インターフェースを通して前記報告を受信する段階と、前記現在リンクと異なる前記現在ネットワークの前記リンクが利用可能でない場合に、前記ハンドオーバーを行うための前記異種ネットワークの接近可能なリンクの存在を決定するために、前記統合インターフェースを通して前記現在ネットワークと異なる異種ネットワークのスキャニングを要請する段階と、を含む構成とした。
【００３４】
好ましくは、前記スキャニングを要請する段階は、前記上位階層で行われることができる。好ましくは、前記異種ネットワークは、周期的にスキャニングされることができる。好ましくは、前記統合インターフェースは、媒体独立ハンドオーバー機能（ＭＩＨＦ）エンティティでありうる。好ましくは、前記上位階層は、前記移動端末と結合した同種ネットワーク及び異種ネットワークリンクを管理するための上位管理エンティティを含むことができる。
【００３５】
本発明の一側面において、上記方法は、前記異種ネットワークの前記接近可能なリンクを発見する段階と、前記統合インターフェースを通して前記接近可能なリンクの前記上位階層に関する情報を通知する段階と、前記接近可能なリンクに連結を設定する段階と、をさらに含むことができる。好ましくは、前記統合インターフェースを通して接近可能なリンクの前記上位階層に関する情報を通知する段階は、前記異種ネットワークの前記接近可能なリンクの信号品質を前記上位階層に通知する段階を含むことができる。好ましくは、前記信号品質は、信号対干渉及び雑音比（ＳＩＮＲ）及び受信信号強度指示（ＲＳＳＩ）のうちの少なくとも一つを含むことができる。
【００３６】
本発明の他の側面において、前記スキャニングを要請する段階は、前記要請の生成された根源を識別する段階と、前記要請の転送されるあて先を識別する段階と、前記移動端末の識別を提供する段階のうちの少なくとも一つを含むことができる。
【００３７】
本発明のさらに他の実施例によって、移動端末の異種ネットワークへの媒体独立ハンドオーバーを支援する方法は、前記移動端末の上位階層に同種ネットワーク及び異種ネットワークのうちの少なくとも一つからの、及び、同種ネットワーク及び異種ネットワークのうちの少なくとも一つへのメッセージを管理するための統合インターフェースを設定する段階と、前記ハンドオーバーを行うために、前記移動端末の現在ネットワークと異なる異種ネットワークの接近可能なリンクに対する検索を要請する段階と、前記移動端末の前記上位階層で前記統合インターフェースを通して前記要請を受信する段階と、
前記ハンドオーバーを行うために、前記接近可能なリンクの存在を決定するために前記統合インターフェースを通して前記異種ネットワークに対するスキャニングを要請する段階と、を含む構成とした。
【００３８】
好ましくは、前記スキャニングを要請する段階は、前記上位階層で行われることができる。好ましくは、前記異種ネットワークは、周期的にスキャニングされることができる。好ましくは、前記統合インターフェースは、媒体独立ハンドオーバー機能（ＭＩＨＦ）エンティティでありうる。好ましくは、前記上位階層は、前記移動端末と結合した同種ネットワーク及び異種ネットワークリンクを管理するための上位管理エンティティを含むことができる。
【００３９】
本発明の一側面において、上記方法は、前記異種ネットワークの前記接近可能なリンクを発見する段階と、前記統合インターフェースを通して前記接近可能なリンクの前記上位階層に関する情報を通知する段階と、前記接近可能なリンクに連結を設定する段階と、をさらに含むことができる。好ましくは、前記統合インターフェースを通して接近可能なリンクの前記上位階層に関する情報を通知する段階は、前記異種ネットワークの前記接近可能なリンクの信号品質を、前記上位階層に通知する段階を含むことができる。好ましくは、前記信号品質は、信号対干渉及び雑音比（ＳＩＮＲ）及び受信信号強度指示（ＲＳＳＩ）のうちの少なくとも一つを含むことができる。
【００４０】
本発明の他の側面において、上記方法は、前記現在ネットワークと異なる前記異種ネットワークの接近可能なリンクに対する検索を要請する段階の前に、接近可能なリンクのための前記現在ネットワークをスキャニングする段階をさらに含むことができる。好ましくは、前記現在ネットワークと異なる前記異種ネットワークの接近可能なリンクに対する前記検索を要請する段階は、前記同種ネットワークで接近可能なリンクの存在が発見されない時に発生することができる。
【００４１】
本発明の他の側面において、前記検索を要請する段階は、前記要請の生成された根源を識別する段階と、前記要請の転送されるあて先を識別する段階と、前記移動端末の識別を提供する段階のうちの少なくとも一つを含むことができる。
【００４２】
本発明のさらに側面において、前記スキャニングを要請する段階は、前記要請の生成された根源を識別する段階と、前記要請の転送されるあて先を識別する段階と、前記移動端末の識別を提供する段階のうちの少なくとも一つを含むことができる。
【００４３】
本発明のさらに他の実施例によって、異種ネットワークへの媒体独立ハンドオーバーを支援する移動端末は、前記移動端末の上位階層で同種ネットワーク及び異種ネットワークのうちの少なくとも一つからの、及び、同種ネットワーク及び異種ネットワークのうちの少なくとも一つへのメッセージを管理するための統合インターフェースと、前記ハンドオーバーを行うための前記異種ネットワークの接近可能なリンクの存在を決定するために、前記統合インターフェースを通して前記移動端末の現在ネットワークと異なる異種ネットワークに対するスキャニングを要請する手段と、を備える構成とした。
【００４４】
本発明のさらに他の実施例によって、異種ネットワークへの媒体独立ハンドオーバーを支援する移動端末は、前記移動端末の上位階層で同種ネットワーク及び異種ネットワークのうちの少なくとも一つからの、及び、同種ネットワーク及び異種ネットワークのうちの少なくとも一つへのメッセージを管理するための統合インターフェースと、前記ハンドオーバーを行うための前記移動端末の現在リンクと異なる現在ネットワークのリンクをスキャニングする手段と、前記現在ネットワークの前記現在リンクと異なる前記リンクの利用可能な状態を報告する手段と、前記移動端末の上位階層で前記統合インターフェースを通して前記報告を受信する手段と、前記現在リンクと異なる前記現在ネットワークの前記リンクが利用可能でない場合に、前記統合インターフェースを通して、前記ハンドオーバーを行うための前記異種ネットワークの接近可能なリンクの存在を決定するために前記現在ネットワークと異なる異種ネットワークのスキャニングを要請する手段と、を備える構成とした。
【００４５】
本発明のさらに他の実施例によって、異種ネットワークへの媒体独立ハンドオーバーを支援する移動端末は、前記移動端末の上位階層で同種ネットワーク及び異種ネットワークのうちの少なくとも一つからの、及び、同種ネットワーク及び異種ネットワークのうちの少なくとも一つへのメッセージを管理するための統合インターフェースと、前記ハンドオーバーを行うために、前記移動端末の現在ネットワークと異なる異種ネックワークの接近可能なリンクに対する検索を要請する手段と、前記移動端末の前記上位階層で前記統合インターフェースを通して前記要請を受信する手段と、前記ハンドオーバーを行うために、前記接近可能なリンクの存在を決定するために前記統合インターフェースを通して前記異種ネットワークに対するスキャニングを要請する手段と、を備える構成とした。
【００４６】
前述した点と本発明の他の目的、特徴、様相そして長所は、添付図面に基づく以下の本発明の詳細な説明からより明確になる。上述した概略的な説明と下記の本発明の詳細な説明はいずれも例示的且つ説明的なものであり、さらには請求された発明に対する追加的な説明が提供されることができる。
【産業上の利用可能性】
【００４７】
本発明は、広帯域無線接続ネットワークシステム、無線ロジックアクセスネットワーク（ＬＡＮ）、有線ＬＡＮ、及び、セルラーシステムインターフェースなどに適用されることができる。
【発明を実施するための最良の形態】
【００４８】
本発明は、マルチモード移動端末が異種ネットワーク間ハンドオーバーを機能を效率的に行えるようにする方法に関する。
【００４９】
以下、添付の図面を参照しつつ、本発明の好ましい実施例について具体的に説明する。図面中、同一の構成要素には可能な限り同一の参照番号を共通使用するものとする。
【００５０】
好ましくは、一般のイベントトリガー（ｔｒｉｇｇｅｒ）モデルは、イベント（ｅｖｅｎｔ）サービス及びコマンド（ｃｏｍｍａｎｄ）サービスに拡張されることができる。イベントサービスは、ＭＩＨイベントとリンクイベントとに分類されることができる。コマンドサービスは、ＭＩＨコマンドとリンクコマンドとに分類されることができる。
【００５１】
図６は、本発明の一実施例によるリンクイベント（Ｌｉｎｋ  Ｅｖｅｎｔ）、ＭＩＨイベントモデルの構造を示す図である。図６を参照すると、ＭＩＨイベントは、ＭＩＨから上位管理エンティティまたは上位階層に伝達されるイベントであり、一般的な技術におけるイベントトリガーがそれに該当する。リンクイベントは、下位階層（ＭＡＣまたは物理階層）からＭＩＨに伝達されるイベントであり、それぞれのインターフェースＭＡＣ階層または物理階層で用いられるプリミティブ（ｐｒｉｍｉｔｉｖｅｓ）が用いられる。
【００５２】
図７は、本発明の一実施例による遠隔リンクイベント（Ｒｅｍｏｔｅ  Ｌｉｎｋ  Ｅｖｅｎｔ）モデルの構造を示す図である。図７を参照すると、ローカルスタック（ｌｏｃａｌ  ｓｔａｃｋ）内にある下位階層で同ローカルスタック内にあるＭＩＨにイベントを発生させると、該ローカルスタックのＭＩＨは、前記イベントを遠隔スタックのＭＩＨに伝達する。同様に、遠隔スタック内の下位階層から遠隔スタックＭＩＨにイベントを発生させ、前記遠隔スタックＭＩＨがローカルスタックＭＩＨにトリガーを伝達する。
【００５３】
図８は、本発明の一実施例による遠隔ＭＩＨイベント（Ｒｅｍｏｔｅ  ＭＩＨ  Ｅｖｅｎｔ）モデルの構造を示す図である。図８を参照すると、ローカルスタック内にあるＭＩＨは、遠隔ＭＩＨイベントを発生させて遠隔スタック内にある相手のＭＩＨに転送する。この遠隔スタックのＭＩＨは、伝達されてきたイベントを、遠隔スタック内の上位管理エンティティまたは上位階層に伝達する。同様に、遠隔スタック内のＭＩＨからローカルスタックＭＩＨにイベントを発生させ、該ローカルスタックＭＩＨがローカルスタックの上位階層に当該イベントを伝達する。
【００５４】
図９は、本発明の一実施例によるＭＩＨコマンド、リンクコマンド（ｌｉｎｋ  ｃｏｍｍａｎｄ）モデルの構造を示す図である。図９を参照すると、ＭＩＨコマンドは、上位管理エンティティまたは上位階層から発生してＭＩＨに伝達され、ＭＩＨにある行為を指示する。リンクコマンドは、ＭＩＨから発生して下位階層に伝達され、下位階層にある行為を指示する。
【００５５】
図１０は、本発明の一実施例による遠隔ＭＩＨコマンドモデルの構造を示す図である。図１０を参照すると、ローカルスタック内にある上位管理エンティティまたは上位階層から遠隔ＭＩＨコマンドが発生してＭＩＨに伝達され、この伝達されてきたＭＩＨコマンドをＭＩＨが遠隔スタック内の相手のＭＩＨに伝達する。同様に、遠隔スタック内の上位階層から遠隔スタックのＭＩＨにコマンドを発生させ、この遠隔スタックＭＩＨがローカルスタックの当該ＭＩＨにコマンドを伝達する。
【００５６】
図１１は、本発明の一実施例による、遠隔リンクコマンドモデルの構造を示す図である。図１１を参照すると、ローカルスタックに含まれたＭＩＨ機能は、遠隔リンクコマンドを生成し、この遠隔リンクコマンドを遠隔スタックに含まれた相手のＭＩＨ機能に転送する。この遠隔スタックに含まれたＭＩＨ機能は、当該遠隔リンクコマンドを、遠隔スタックに含まれた下位階層に伝達する。同様に、遠隔スタックに含まれたＭＩＨ機能はコマンドを生成し、このコマンドをローカルスタックのＭＩＨ機能に転送し、このローカルスタックのＭＩＨ機能は、当該コマンドをローカルスタックの下位階層に転送する。
【００５７】
図１２は、本発明の好ましい一実施例によるマルチモード移動端末のプロトコルスタックの構造を示す図である。好ましくは、上述のマルチモードは、広帯域無線接続ネットワークシステム及び無線ＬＡＮ間のインターフェースまたは広帯域無線接続ネットワークシステム及びセルラーネットワークシステム間のインターフェースと関連している。
【００５８】
図１２の（ａ）を参照すると、もし、マルチモード移動端末が無線ＬＡＮモデルで周期的にスキャニング動作を行うと、ＭＩＨ機能エンティティは、周期的なスキャニングコマンドを広帯域無線接続ネットワークシステムの第２階層（すなわち、ＭＡＣ階層）または３Ｇセルラー移動通信モデルの第２階層（すなわち、ＭＡＣ階層）に転送する。好ましくは、当該ＭＩＨは、他のＭＡＣ／ＰＨＹ階層のスキャニング動作を開始するためのスキャニングコマンドリンクイベントである‘Ｓｃａｎ＿Ｉｎｄｉｃａｔｉｏｎ’を生成し、この‘Ｓｃａｎ＿Ｉｎｄｉｃａｔｉｏｎ’イベントを転送する。好ましくは、当該ＭＩＨから下位ＭＡＣ階層へ転送されるリンクコマンドは、個別的なインターフェースネットワークで用いられるプリミティブを使用する。様々なプリミティブの一例として、広帯域無線接続ネットワークの‘Ｍ．Ｓｃａｎｎｉｎｇ．ｒｅｑｕｅｓｔ’情報、無線ＬＡＮの‘ＭＬＭＥ−ＳＣＡＮ．ｒｅｑｕｓｔ’情報、３ＧＰＰの‘ＣＰＨＹ−Ｍｅａｓｕｒｅｍｅｎｔ−ＲＥＱ’または‘ＣＭＡＣ−Ｍｅａｓｕｒｅｍｅｎｔ−ＲＥＱ’情報などがある。
【００５９】
図１２の（ｂ）において、現在無線ＬＡＮモードで動作しているマルチモード移動端末が、同種ネットワークでそれ以上ハンドオーバーを行う信号（リンク）がない場合、この現在動作中の無線ＬＡＮモードの媒体アクセス制御階層は、ＭＩＨ機能エンティティに、それ以上同種ネットワークから検出される信号（リンク）がないということを、リンク検索要請イベントである‘Ｓｃａｎ＿Ｏｔｈｅｒ＿Ｌｉｎｋ’を発生させて伝達する。この時に用いられるプリミティブは、ＭＬＭＥ−ＳＣＡＮ．ｃｏｎｆｉｒｍａｔｉｏｎにそれ以上可用の接続点（ＰＯＡ）がないということを無線ＬＡＮで表現できるプリミティブパラメータを使用することができる。
【００６０】
この‘Ｓｃａｎ＿Ｏｔｈｅｒ＿Ｌｉｎｋ’イベントを受信したＭＩＨ機能エンティティは、当該移動端末が備えているＩＥＥＥ  ８０２．１６モードや３世代（３Ｇ）セルラー移動通信モードの第２階層（媒体アクセス制御階層）に、他の種類のＭＡＣ／ＰＨＹ階層のスキャニングを開始するようにスキャニング指示コマンドである‘Ｓｃａｎ＿Ｉｎｄｉｃａｔｉｏｎ’を発生させる。
【００６１】
他のモードのスキャニングを開始するための他の方法において、ＭＩＨは、下位第２階層（媒体アクセス制御階層）に他の種類のＭＡＣ／ＰＨＹ階層のスキャニングを開始するように指示するリンクコマンドを発生させる。この時に用いられるリンクコマンドとしては各インターフェースネットワークで用いられるプリミティブを使用する。該プリミティブの例には、広帯域無線接続ネットワークではＭ．ｓｃａｎｎｉｎｇ．ｒｅｑｕｅｓｔ、無線ＬＡＮネットワークではＭＬＭＥ−ＳＣＡＮ．ｒｅｑｕｅｓｔなどがある。
【００６２】
図１３は、本発明の好ましい一実施例によるフローチャートで、ＭＩＨからスキャニングを指示するプロセスの一例である。
【００６３】
図１３を参照すると、マルチモード移動端末の現在接続しているリンクの媒体アクセス制御階層（ＬＬ  ｏｌｄ）は、現在リンクの信号品質が低下した場合、‘Ｌｉｎｋ＿Ｇｏｉｎｇ＿Ｄｏｗｎ'トリガーイベントを発生させてＭＩＨ機能エンティティに伝達する。好ましくは、Ｓ６１段階で、ＭＩＨ機能エンティティは、現在リンクの媒体アクセス制御階層に同種ネットワークで接続可能なリンクがあるか否かを判断するようにスキャニング実行を指示する。
【００６４】
Ｓ６２段階で、現在リンクの媒体アクセス制御階層のスキャニング結果、同種ネットワークで接続可能なリンクが検索されないと、Ｓ６３段階で、現在リンクの媒体アクセス制御階層は、リンク検索要請リンクイベントである‘Ｓｃａｎ＿ｏｔｈｅｒｌｉｎｋ＿ｒｅｑｕｅｓｔ’を発生させてＭＩＨ機能エンティティに伝達する。
【００６５】
Ｓ６４段階で、ＭＩＨ機能エンティティは、現在リンクの媒体アクセス制御階層から‘Ｓｃａｎ＿ｏｔｈｅｒｌｉｎｋ＿ｒｅｑｕｅｓｔ’を受信し、スキャニング指示リンクコマンドである‘Ｓｃａｎ＿ｉｎｄｉｃａｔｉｏｎ’を発生させ、これを、移動端末が備えている広帯域無線接続ネットワークモードや３世代（３Ｇ）セルラー移動通信モードの媒体アクセス制御階層（ＬＬ  Ｎｅｗ）に伝達して接続可能な異種ネットワークリンクをスキャニングするように指示する。
【００６６】
Ｓ６５段階で、現在接続中のモードとは異なる種類のモードの媒体アクセス制御階層がスキャニングを行った結果、Ｓ６６段階で、接続可能な異種ネットワークリンクが検索されると、Ｓ６７段階で、上記他のモードの媒体アクセス制御階層はＭＩＨ機能エンティティに‘Ｌｉｎｋ＿Ａｖａｉｌａｂｌｅ’をトリガーした後、当該接続可能な新しい異種ネットワークリンクと連結を設定する。好ましくは、Ｓ６８及びＳ６９段階で、‘Ｌｉｎｋ  Ａｖａｉｌａｂｌｅ’には、受信した信号強度指示（ＲＳＳＩ）及び信号対干渉及び雑音比（ＳＩＮＲ）のような該当するリンクの信号品質に関する情報が含まれて転送されることができる。
【００６７】
図１４は、本発明の好ましい他の実施例によるマルチモード移動端末のプロトコルスタックの構造を示す図である。詳しくは、図１４は、上位管理エンティティがスキャニング動作を指示する一例を示している。好ましくは、上述したマルチモードは、広帯域無線接続ネットワークシステム及び無線ＬＡＮ間のインターフェースまたは広帯域無線接続ネットワークシステム及びセルラーネットワークシステム間のインターフェースに関する。
【００６８】
図１４の（ａ）を参照すると、もし、マルチモード移動端末が無線ＬＡＮモード（すなわち、ＩＥＥＥ  ８０２．１１モード）でスキャニング動作を周期的に行うと、上位管理エンティティは、周期的なスキャニングコマンドをＭＩＨを介して広帯域無線接続ネットワークモード（すなわち、ＩＥＥＥ  ８０２．１６モード）の第２階層（すなわち、ＭＡＣ階層）または３Ｇセルラー移動通信モードの第２階層（すなわち、ＭＡＣ階層）に伝達する。
【００６９】
好ましくは、上位管理エンティティは、ＭＡＣ／ＰＨＹ階層の他のスキャニング動作を開始するためのＭＩＨコマンドである‘Ｓｃａｎ＿Ｉｎｄｉｃａｔｉｏｎ’を生成し、この‘Ｓｃａｎ＿Ｉｎｄｉｃａｔｉｏｎ’をＭＩＨに転送する。好ましくは、該ＭＩＨコマンドを受信したＭＩＨは、リンクコマンドを生成し、下位ＭＡＣ階層に上記スキャニング動作を指示する。このＭＩＨから下位ＭＡＣ階層に伝達されるリンクコマンドは、各インターフェースネットワークで使用するためのプリミティブ情報を使用する。様々なプリミティブの例には、広帯域無線接続ネットワークの‘Ｍ．ｓｃａｎｎｉｎｇ．ｒｅｑｕｅｓｔ’情報及び無線ＬＡＮの‘ＭＬＭＥ−ＳＣＡＮ．ｒｅｑｕｅｓｔ’情報がある。
【００７０】
図１４の（ｂ）を参照すると、現在無線ＬＡＮ（すなわち、ＩＥＥＥ  ８０２．１１）モードで動作しているマルチモード移動端末が、同種ネットワークでそれ以上ハンドオーバーを行う信号（リンク）がない場合、現在動作中の無線ＬＡＮモードの媒体アクセス制御階層は、ＭＩＨ機能エンティティに、それ以上同種ネットワークから検出される信号（リンク）がないということを、リンクイベントを発生させて伝達する。この時に用いられるプリミティブは‘ＭＬＭＥ−ＳＣＡＮ．ｃｏｎｆｉｒｍａｔｉｏｎ’で、このプリミティブにそれ以上可用の接続点（ＰＯＡ）がないということを、無線ＬＡＮで表現できるプリミティブパラメータを用いて表現できる。
【００７１】
この‘ＭＬＭＥ−ＳＣＡＮ．ｃｏｎｆｉｒｍａｔｉｏｎ’プリミティブを受信したＭＩＨは、ＭＩＨイベントである‘Ｓｃａｎ  ｏｔｈｅｒ  ｌｉｎｋ'を発生させて上位管理エンティティに伝達する。
【００７２】
このＭＩＨイベントを受信した上位管理エンティティは、当該ＭＩＨに他の利用可能な接続点（ＰＯＡ）をスキャンするように指示する‘Ｓｃａｎ＿Ｉｎｄｉｃａｔｉｏｎ’を発生させて伝達し、該ＭＩＨは、下位第２階層（媒体アクセス制御階層）に他の種類のＭＡＣ／ＰＨＹ階層のスキャニングを開始するように指示するリンクイベントを発生させる。
【００７３】
図１５は、本発明の好ましい他の実施例によるフローチャートで、上位管理エンティティからスキャニング動作を指示するプロセスを示す図である。
【００７４】
図１５を参照すると、マルチモード移動端末の現在接続しているリンクの媒体アクセス制御階層（ＬＬ  ｏｌｄ）は、現在リンクの信号品質が低下した場合、‘Ｌｉｎｋ＿Ｇｏｉｎｇ＿Ｄｏｗｎ'トリガーイベントを発生させ、これを、ＭＩＨ機能エンティティを介して上位管理エンティティに伝達する。この場合、上位管理エンティティは、現在リンクの媒体アクセス制御階層に同種ネットワークで接続可能なリンクがあるか否かを判断するスキャニングを実行する（S７１）。
【００７５】
現在リンクの媒体アクセス制御階層のスキャニング結果、同種ネットワークで接続可能なリンクが検索されない場合（Ｓ７２）、この現在リンクの媒体アクセス制御階層は、ＭＩＨ機能エンティティに、それ以上同種ネットワークから検出される信号（リンク）がないということを、リンクイベントを発生させて伝達する。この時に用いられるプリミティブは、ＭＬＭＥ−ＳＣＡＮ．ｃｏｎｆｉｒｍａｔｉｏｎで、このプリミティブにそれ以上可用の接続点がないということを、該当する無線ＬＡＮで表現できるプリミティブパラメータを用いて表現する。
【００７６】
このプリミティブ受信したＭＩＨは、ＭＩＨイベントである‘Ｓｃａｎ  ｏｔｈｅｒ  ｌｉｎｋ’を発生させて上位管理エンティティに伝達する（Ｓ７３）。このＭＩＨから‘Ｓｃａｎ＿ｏｔｈｅｒｌｉｎｋ＿ｒｅｑｕｅｓｔ'を受信した上位管理エンティティは、スキャニング指示のためにＭＩＨコマンドである‘Ｓｃａｎ＿ｉｎｄｉｃａｔｉｏｎ’を発生させてＭＩＨに伝達し、続いて移動端末が備えている広帯域無線接続ネットワークモードまたは３世代（３Ｇ）セルラー移動通信モードの媒体アクセス制御階層（ＬＬ  Ｎｅｗ）に伝達し、接続可能な異種ネットワークリンクをスキャニングするように指示する（Ｓ７４）。
【００７７】
現在接続中のモードとは異なる種類のモードの媒体アクセス制御階層がスキャニングを行った結果（Ｓ７５）、接続可能な異種ネットワークリンクが検索されると（Ｓ７６）、当該他のモードの媒体アクセス制御階層は、ＭＩＨ機能エンティティに‘Ｌｉｎｋ＿Ａｖａｉｌａｂｌｅ’をトリガーする（Ｓ７７）。続いて、ＭＡＣ階層は、接続可能な新しい異種ネットワークリンクと連結を設定する（Ｓ７８、Ｓ７９）。好ましくは、‘Ｌｉｎｋ  Ａｖａｉｌａｂｌｅ'には、該当するリンクの信号品質に関する情報（ＲＳＳＩ、ＳＩＮＲ）が含まれて転送されることができる。
【００７８】
下記の表８及び表９は、イベントサービスに関連する‘Ｓｃａｎ＿ｏｔｈｅｒｌｉｎｋ＿ｒｅｑｕｅｓｔ'及びコマンドサービスに関連する‘Ｓｃａｎ＿ｉｎｄｉｃａｔｉｏｎ'パラメータの一例である。具体的に、下記の表８及び表９は、トリガーイベントパラメータである‘Ｓｃａｎ＿ｏｔｈｅｒｌｉｎｋ＿ｒｅｑｕｅｓｔ'及び‘Ｓｃａｎ＿ｉｎｄｉｃａｔｉｏｎ'の一例である。
【００７９】
【表８】
2008530940.tif 000009
【００８０】
【表９】
2008530940.tif 000010
下記の表１０は、リンクと関連した信号品質情報を表すＲＳＳＩ及びＳＩＮＲなどが‘Ｌｉｎｋ＿Ａｖａｉｌａｂｌｅ’イベントに追加され、この‘Ｌｉｎｋ＿Ａｖａｉｌａｂｌｅ’イベントがあて先に転送される時の信号転送例を示す。
【００８１】
【表１０】
2008530940.tif 000011
上述したように、本発明の実施例による移動端末のハンドオーバーを行う方法及び該移動端末は、マルチモード移動端末で異種ネットワーク間のハンドオーバーを效果的に支援可能である。
【００８２】
以上では本発明を移動通信で説明してきたが、これに限定されず、本発明は、無線通信装備を備えたラップトップコンピュータ及びＰＤＡのような移動装備を使用するいずれの無線通信システムにおいても使用可能である。なお、本発明を説明するためのＵＭＴＳのような特定用語の使用が、無線通信システムの特定タイプに本発明の範囲を限定するわけはない。したがって、本発明は、ＴＤＭＡ、ＣＤＭＡ、ＦＤＭＡ及びＷＣＤＭＡなど他の無線インターフェース及び／または物理的階層を使用する無線通信システムのいずれにも適用されることができる。
【００８３】
好ましい実施例は、規格プログラミング及び／またはソフトウェア、ファームウエア、ハードウェア、またはこれらの組み合わせを生産するための工学的技術を使用する製造物品（ａｒｔｉｃｌｅ  ｏｆ  ｍａｎｕｆａｃｔｕｒｅ）、方法または装置に適用されることができる。ここでいう‘製造物品’は、コードまたはハードウェアロジックに適用されるロジック（例えば、内蔵回路チップ、ＦＰＧＡ（Ｆｉｅｌｄ  Ｐｒｏｇｒａｍｍａｂｌｅ  Ｇａｔｅ  Ａｒｒａｙ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等）またはコンピュータ可読媒体（例えば、磁気記憶媒体（例えば、ハードディスクドライブ、フロッピー（登録商標）ディスク、テープ等）、光学記憶媒体（ＣＤ−ＲＯＭ、光学ディスク等）、揮発及び不揮発メモリディスク（例えば、ＥＥＰＲＯＭｓ、ＲＯＭｓ、ＰＲＯＭｓ、ＲＡＭｓ、ＤＲＡＭｓ、ＳＲＡＭｓ、ファームウエア、プログラム可能ロジック）を意味することができる。
【００８４】
コンピュータ可読媒体のコードは、プロセッサによって接近及び実行可能である。好ましい実施例なおいて、このコードは、転送媒体またはネットワーク上のファイルサーバーを介して転送されることができる。この場合に、当該コードの備えられた製造物品は、ネットワーク転送ライン、無線転送媒体、空間を通して伝播される信号、無線波、赤外線信号などの転送媒体を含むことができる。もちろん、このような構成に、本発明の範囲を逸脱しない範囲で様々な変形が適用されうるということが当業者には認識可能であり、上記製造物品は、該当技術分野に知らされたある情報ベアリング媒体を含むことができる。
【００８５】
本発明の思想や領域を逸脱しない範囲内で本発明の様々な変形及び変化が可能であるということが、当業者にとっては自明である。したがって、このような添付した請求項とその均等範囲内で提供された本発明の変形と変化も本発明に含まれる。
【図面の簡単な説明】
【００８６】
【図１】一般の媒体独立ハンドオーバー機能（ＭＩＨＦ）参照モデルを示す図である。
【図２】マルチモード移動端末のプロトコル階層を示す構造図である。
【図３】それぞれＭＩＨ機能を含む移動端末とネットワークの機能的エンティティと転送プロトコルを示す図である。
【図４】従来のトリガーモデルを示す構造図である。
【図５】移動端末の現在接続されているリンクの品質が低下し、新しいリンクを設定するまで発生するトリガーの従来例を示す図である。
【図６】本発明の一実施例によるリンクイベント（Ｌｉｎｋ  Ｅｖｅｎｔ）、ＭＩＨイベントモデルの構造を示す図である。
【図７】本発明の一実施例による遠隔リンクイベント（Ｒｅｍｏｔｅ  Ｌｉｎｋ  Ｅｖｅｎｔ）モデルの構造を示す図である。
【図８】本発明の一実施例による遠隔ＭＩＨイベント（Ｒｅｍｏｔｅ  ＭＩＨ  Ｅｖｅｎｔ）モデルの構造を示す図である。
【図９】本発明の一実施例によるＭＩＨコマンド、リンクコマンド（ｌｉｎｋ  ｃｏｍｍａｎｄ）モデルの構造を示す図である。
【図１０】本発明の一実施例による遠隔ＭＩＨコマンドモデルの構造を示す図である。
【図１１】本発明の一実施例による遠隔リンクコマンドモデルの構造を示す図である。
【図１２】本発明の好ましい一実施例によるマルチモード移動端末のプロトコルスタックの構造を示す図である。
【図１３】本発明の好ましい一実施例によるフローチャートであり、ＭＩＨでスキャニングを指示する一例である。
【図１４】本発明の好ましい他の実施例によるマルチモード移動端末のプロトコルスタックの構造を示す図である。
【図１５】本発明の好ましい他の実施例によるフローチャートである。
【図１】
2008530940.tif 000012
【図２】
2008530940.tif 000013
【図３】
2008530940.tif 000014
【図４】
2008530940.tif 000015
【図５】
2008530940.tif 000016
【図６】
2008530940.tif 000017
【図７】
2008530940.tif 000018
【図８】
2008530940.tif 000019
【図９】
2008530940.tif 000020
【図１０】
2008530940.tif 000021
【図１１】
2008530940.tif 000022
【図１２】
2008530940.tif 000023
【図１３】
2008530940.tif 000024
【図１４】
2008530940.tif 000025
【図１５】
2008530940.tif 000026
【国際調査報告】
2008530940.tif 000027
2008530940.tif 000028
2008530940.tif 000029